(57)【要約】   【課題】テンプルの取り替え作業に伴う負担が少なく、手軽に取り替え可能なテンプルを具備する眼鏡フレームを提供することを課題とする。    【解決手段】眼鏡フレーム１００は、左右一対のリム２１０と、前記左右一対のリム２１０のそれぞれに取り付けられた左右一対のヨロイ３００と、前記左右一対のヨロイ３００のそれぞれに連結された左右一対のテンプル４００とを備えている。前記リム２１０は、外側端に係合部２５０を具備し、前記ヨロイ３００は、前記係合部２５０に前記リム２２０の内側から着脱自在に係合する係止部３０１を具備する。  【選択図】  図６  
0003116492.tif 000002
【実用新案登録請求の範囲】
【請求項１】
左右一対のリムと、前記左右一対のリムのそれぞれに取り付けられた左右一対のヨロイと、前記左右一対のヨロイのそれぞれに連結された左右一対のテンプルとを備えた眼鏡フレームであって、
前記リムは、外側端に係合部を具備し、
前記ヨロイは、前記係合部に前記リムの内側から係脱自在に係合する係止部を具備することを特徴とする眼鏡フレーム。
【請求項２】
前記リムは、レンズを着脱可能に支持すると共に外側端に開口が形成されたリム本体を備え、
前記係合部は、前記リム本体の開口端部から外方に向けて延在する上下一対の案内部材と、前記一対の案内部材を連結する連結部材とを備え、
前記係止部は、前記一対の案内部材に沿って摺動可能な上下一対の凹溝を備える請求項１に記載の眼鏡フレーム。
【考案の詳細な説明】
【技術分野】
【０００１】
本考案は、眼鏡フレームに関する。
【背景技術】
【０００２】
眼鏡フレームは、前枠、ヨロイ、テンプル、丁番等のフレーム部材が連結されて構成されている。この眼鏡フレームを構成する部材の中でも、前枠の両端に固定されたヨロイに丁番によって開閉自在に設けられ、ユーザの開閉動作等により頻繁に外力を受ける一対のテンプルは、特に軽量化とデザイン性を優先させた近年の極細タイプのテンプルの場合、使用に伴って劣化し易いため、比較的取り替える必要性の高い部材である。また、近年の眼鏡フレームに対するファッション性、デザイン性等の装飾機能重視の傾向に鑑みれば、予め用意された各種の装飾された好みのテンプルに取り替えることも考えられる。
【０００３】
しかしながら、丁番構造のネジによりテンプルを開閉するような従来の一般的な眼鏡フレームにおいてテンプルを取り替えるには、該丁番構造のネジを眼鏡フレーム用のドライバー等の工具を用いてテンプルが外れ得るまで緩め、該テンプルを取り替えた後、再びネジを締め直すといった作業が必要であり、手間がかかる上、ネジを締め直す際のネジの締め付け具合などによってはネジに緩みが生じることがあり、微妙な調整が必要となる。
【０００４】
そこで、丁番構造のネジを締めずにテンプルの取り替えが可能な構造として、例えば、テンプルの所望部位において、該テンプルの長手方向の軸心周りに着脱自在に螺合する連結機構部を設けた構造が提案されている（特許文献１参照）。
【特許文献１】実用新案第３０４７７３１号公報
【考案の開示】
【考案が解決しようとする課題】
【０００５】
しかしながら、前記特許文献１に記載されているようなテンプルに連結機構部を設けた構造においては、丁番構造自体はあくまで従来の構造と同様であり、ネジによりテンプルを開閉するために、該ネジに緩みが生じてしまうことがある。特に、テンプルを連結機構部で着脱する際に、該テンプルを長手方向の軸心周りに回転させるので、丁番構造のネジ部分に該軸心周りの曲げモーメントが作用し、このため該丁番構造のネジの緩みが生じ易い。また、場合によっては該丁番構造のネジに対して負荷が係ることで、ネジ山が潰れたりするといったことも考えられる。従って、テンプル自体の取り替え作業には時間がかからず、微妙な調整の必要がないものの、丁番構造のネジの締め直しや交換が必要となり、結局のところテンプルの取り替え作業の負担は軽減されない。
【０００６】
本考案は、斯かる従来技術の問題点を解決するべくなされたものであり、取り替え作業に伴う負担が少なく、手軽に取り替え可能なテンプルを具備する眼鏡フレームを提供することを課題とする。
【課題を解決するための手段】
【０００７】
前記課題を解決するべく、本考案は、左右一対のリムと、前記左右一対のリムのそれぞれに取り付けられた左右一対のヨロイと、前記左右一対のヨロイのそれぞれに連結された左右一対のテンプルとを備えた眼鏡フレームであって、前記リムは、外側端に係合部を具備し、前記ヨロイは、前記係合部に前記リムの内側から係脱自在に係合する係止部を具備することを特徴とする眼鏡フレームを提供する。
【０００８】
斯かる考案によれば、前記リムが外側端に係合部を具備し、前記ヨロイが前記係合部に係脱自在に係合する係止部を具備するために、ヨロイの係止部をリム外側端の係合部と係脱させることにより、ヨロイごとテンプルを取り替えることが可能となる。すなわち、たとえ、従来と同様にテンプルとヨロイとを丁番構造のネジで連結する構成を採用したとしても、微妙な調整が必要なネジの着脱を伴うことなく、テンプルを手軽に取り替えることが可能となる。また、テンプルのみならず、ヨロイも取り替えることができるので、ＴＰＯに合わせて各種のヨロイを選択することも可能となる。
【０００９】
また、本考案によれば、ヨロイの係止部をリムの内側からリム外側端の係合部と係合する構成であるため、ヨロイの係止部をリムの係合部と係合させた後、リムにレンズをはめ込めば、該レンズによってヨロイの内側への移動が阻止されることになる。換言すれば、単にレンズをはめ込むだけで、他の部材を必要とすることなく、ヨロイの係止部とリムの係合部との係合状態を安定させることが可能である。
【００１０】
より具体的な構成として、好ましくは、前記リムは、レンズを着脱可能に支持すると共に外側端に開口が形成されたリム本体を備え、前記係合部は、前記リム本体の開口端部から外方に向けて延在する上下一対の案内部材と、前記一対の案内部材を連結する連結部材とを備え、前記係止部は、前記一対の案内部材に沿って摺動可能な上下一対の凹溝を備えるように構成される。
【００１１】
斯かる好ましい構成によれば、リムの係合部がリム本体の開口端部から外方に向けて延在する上下一対の案内部材を備え、ヨロイの係止部が前記一対の案内部材に沿って摺動可能な上下一対の凹溝を備えるため、凹溝をリム本体の開口端部から案内部材にはめ込み、外方に摺動させることで、リムの係合部とヨロイの係止部とを係合させることが可能である。一方、凹溝を内方に摺動させてリム本体の開口端部から内側に外すことにより、リムの係合部とヨロイの係止部との係合を解除することが可能である。なお、前記好ましい構成では、一対の案内部材を連結する連結部材を備えるために、この連結部材よりも更に外方への凹溝の摺動が阻止され、ヨロイがリムから脱落するのを防止可能である。
【考案の効果】
【００１２】
本考案に係る眼鏡フレームによれば、テンプルの取り替え作業に伴う負担が少なく、手軽にテンプルを取り替えることが可能となる。また、テンプルとヨロイが丁番構造のネジで連結されている場合であっても、丁番構造のネジを緩めたり締め直したりしなくてもテンプルの取り替えが可能であるので、テンプルの取り替えにより丁番構造のネジが緩んだり、ネジ山が潰れたりすることがない。
【考案を実施するための最良の形態】
【００１３】
以下、添付図面を参照しつつ、本考案の一実施形態に係る眼鏡フレームについて説明する。
【００１４】
図１は本実施形態に係る眼鏡フレーム１００の正面図であり、図２は眼鏡フレーム１００の側面図である。図１及び図２に示すように、眼鏡フレーム１００は、前枠２００と、前枠２００の左右の外側端に係脱自在に係合された左右一対のヨロイ３００と、各ヨロイ３００に連結された左右一対のテンプル４００とを備えている。
【００１５】
前記前枠２００は、レンズを着脱可能に支持する左右一対のリム２１０と、左右の一対のリム２１０を接続するブリッジ２０３と、前記各リム２１０の内側略中央部に取り付けられたパッド２０４とを備えている。
【００１６】
本実施形態の眼鏡フレーム１００の構造は、ブリッジ２０３を中心に左右対称の構造となっているので、以下では、左側の構造を中心に説明し、右側の構造については適宜説明を省略する。
【００１７】
図３（ａ）は、前記ヨロイ３００が取り外された左側のリム２１０近傍の平面図であり、図３（ｂ）は、その正面図である。なお、図３（ａ）においてはパッド２０４を省略している。図３（ｂ）に示すように、前記リム２１０は、レンズを着脱自在に支持し、正面視に於いて中央部で上下幅が広くなった横長のリム本体２２０と、リム本体２２０の外側端から更に外方に延在し、前記リム２１０の外側端を形成する係合部２５０とを備えている。
【００１８】
図３（ａ）に示すように、リム本体２２０は、レンズを着脱自在に支持すると共に外側端に開口２３１が形成されている。より具体的に説明すれば、本実施の形態に係るリム本体２２０は、リム本体２２０の正面視における形状を形成する基枠２３０と、基枠２３０の後面（図３（ａ）の矢印Ｙ方向の面）に取り付けられたレンズを着脱自在に支持するレンズ支持部２４０とを備えている。基枠２３０は、図３（ｂ）に示すように、外側端の略中央部に開口端部２３２、２３３を具備し、これら開口端部２３２、２３３によって区画される開口２３１が形成されている。レンズ支持部２４０には、基枠２３０の開口端部２３２よりも上方に位置する挿入端部２３４と、開口端部２３３よりも下方に位置する挿入端部２３５とによって区画される開口（挿入口２３６）が形成されている。
【００１９】
前記係合部２５０は、リム本体２２０（基枠２３０）の開口端部２３２、２３３から外方に向けて延在する上下一対の案内部材２５１、２５２と、一対の案内部材２５１、２５２を連結する連結部材２５３とを備えている。より具体的に説明すれば、本実施形態に係る係合部２５０を構成する上下一対の案内部材２５１、２５２及び連結部材２５３は細長形状の部材とされており、前記案内部材２５１、２５２がコの字の上下の辺を形成し、連結部材２５３が、コの字の側辺を形成して、全体として正面視略コの字状に形成されている。なお、案内部材２５１、２５２及び連結部材２５３の前後方向の厚みＢ１（図３（ａ）参照）は、基枠２３０の前後方向の厚みＢ２（図３（ａ）参照）と略同様の寸法とされている。
【００２０】
リム本体２２０の材質には、一般的に金属、プラスチック、べっ甲などが用いられているが、特に限定されるものでない。また、係合部２５０（案内部材２５１、２５２と連結部材２５３）の材質も、特に限定されるものでなく、例えばリム本体２２０と同じにすることができる。リム本体２２０、案内部材２５１、２５２、連結部材２５３は連結されているので、これらを同じ材質とすることで、リム本体２２０、案内部材２５１、２５２、連結部材２５３を１つの部品で形成することができる。例えば、リム本体２２０、案内部材２５１、２５２、連結部材２５３の材質を全て同じ種類のプラスチックとする場合は、リム本体２２０、案内部材２５１、２５２、連結部材２５３を１つの型枠で成型することが可能である。
【００２１】
図４（ａ）は、ヨロイ３００の正面図であり、図４（ｂ）は、ヨロイ３００とテンプル４００の平面図であり、図５は、図４（ａ）に示すヨロイ３００のＡ−Ａ断面図である。
【００２２】
図４（ｂ）に示すように、前記ヨロイ３００の後面３５０の中央よりやや外側（図４（ｂ）の矢印Ｘ方向）には、丁番構造５００が取り付けられている。この丁番構造５００の後面には、テンプル４００が回動自在に取り付けられており、前記ヨロイ３００とテンプル４００とは、丁番構造５００を介して回動自在に連結されている。
【００２３】
前記ヨロイ３００は、図４（ａ）に示すように、前記係合部２５０に係脱自在に係合する係止部３０１を備える。より具体的に説明すれば、本実施形態に係るヨロイ３００は、上面３１０に凹溝３１１が、下面３２０に凹溝３２１が形成されており、係止部３０１は、この上下一対の凹溝３１１、３２１によって形成されている。凹溝３１１、３２１は、上面３１０、下面３２０の前後方向のやや前方側に内外方向全体にわたって形成されている。更に、本実施形態の眼鏡フレーム１００では、ヨロイ３００の外側面３３０にも凹溝３３１が形成されている。凹溝３３１は、外側面３３０の前後方向のやや前方側に上下方向全体にわたって形成され、上端において凹溝３１１と繋がり、下端において凹溝３２１と繋がっている。従って、本実施形態のヨロイ３００は、図４（ａ）に示すように、ヨロイ３００の正面視において略コの字状に凹溝が形成されている。なお、各凹溝３１１、３２１、３３１の幅（前後方向長さ）Ｂ３は、基枠２３０、案内部材２５１、２５２及び連結部材２５３の厚みＢ２、Ｂ１と同じ若しくは若干広くなっている。また、凹溝３１１の底部３１１ａから凹溝３２１の底部３２１ａまでの距離Ａ１は、案内部材２５１、２５２間の距離Ａ２（図３（ｂ）参照）と同じ若しくは若干短くなっている。ヨロイ３００の上下方向全体の長さＡ３は、前記２つの挿入端部２３４、２３５間に形成された挿入口２３６の幅Ａ４（図３（ｂ）参照）より短く、案内部材２５１、２５２間の距離Ａ２（図３（ｂ）参照）よりも長くなっている。
【００２４】
以下、図６を適宜参照しつつ前枠２００へのヨロイ３００の取り付け動作について説明する。本実施形態では、リム２１０の内側からヨロイ３００の係止部３０１をリム２１０の係合部２５０に係合させてヨロイ３００を前枠２００に取り付けるので、レンズ支持部２４０にレンズが装着されているときは、まずレンズをレンズ支持部２４０から外す。
【００２５】
次に、図６（ａ）に示すように、ヨロイ３００の外側面３３０を外方に向け、前記挿入口２３６からヨロイ３００を係合部２５０側に挿入すると共に、開口端部２３２、２３３で凹溝３１１、３２１を案内部材２５１、２５２にはめ込む。そして、図６（ｂ）に示すように、凹溝３３１の底部３３１ａが連結部材２５３に当接するまでヨロイ３００を外方へ摺動させる。底部３３１ａが連結部材２５３に当接すると、ヨロイ３００は、前枠２００への係合が完了する。以上のようにして、ヨロイ３００を前枠２００に係合させた後、レンズ支持部２４０にレンズＬを装着する。
【００２６】
一方、ヨロイ３００の係合部２５０から取り外す際には、まずレンズＬをレンズ支持部２４０から外し、ヨロイ３００を案内部材２５１、２５２の内方に摺動させる。そして、開口端部２３２、２３３で案内部材２５１、２５２から凹溝３１１、３２１を内側に外し、係合部２５０とヨロイ３００の係止部３１０との係合を解除すればよい。
【００２７】
以上のように、本実施形態の眼鏡フレーム１００は、ヨロイ３００の係止部３０１を係合部２５０と係合させることにより、ヨロイ３００ごとテンプル４００を取り替えることが可能となる。すなわち、本実施形態のように、テンプル４００とヨロイ３００を丁番構造５００で連結する構成を採用したとしても、微妙な調整が必要なネジの着脱を伴うことなく、テンプル４００を手軽に取り替えることが可能となる。また、テンプル４００のみならず、ヨロイ３００も取り替えることができるので、ＴＰＯに合わせて各種のヨロイ３００を選択することも可能となる。
【００２８】
また、ヨロイ３００を係合部２５０に係合させた後に、レンズＬをレンズ支持部２４０に装着すると、ヨロイ３００が内側に移動することがレンズＬによって阻止される。換言すれば、単にレンズＬをはめ込むだけで、他の部材を必要とすることなく、ヨロイ３００の係止部３０１とリム２１０の係合部２５０との係合状態を安定させることができる。
【００２９】
より具体的には、本実施形態のヨロイ３００は、凹溝３３１の底部３３１ａが連結部材２５３に当接したときに、内側面３４０がレンズ支持部２４０の内側と同一面を形成できる形状となっている。内側面３４０がレンズ支持部２４０の内側と同一面を形成すると、ヨロイ３００を係合部２５０に係合させた後に、レンズ支持部２４０にレンズＬを装着すると、内側面３４０がレンズＬに、外側面３３０が連結部材２５３に押さえられる。よって、ヨロイ３００の摺動が、内外の両側から阻止されるので、本実施形態の眼鏡フレーム１００は、ヨロイ３００の係止部とリム２１０の係合部２５０との係合状態がより安定する構成となっている。
【００３０】
また、本実施形態の眼鏡フレーム１００では、一対の案内部材２５１、２５２を連結する連結部材２５３を備えるために、この連結部材２５３よりも更に外方への凹溝３１１、３２１の摺動が阻止され、ヨロイ３００がリム２１０の外側から脱落するのを防止可能となっている。
【００３１】
より具体的には、本実施形態のヨロイ３００は、凹溝３３１の底部３３１ａが連結部材２５３に当接したときに、内側面３４０がレンズ支持部２４０の内側と同一面を形成できる形状となっている。内側面３４０がレンズ支持部２４０の内側と同一面を形成すると、ヨロイ３００を係合部２５０に係合させた後に、レンズ支持部２４０にレンズＬを装着すると、内側面３４０がレンズＬに、外側面３３０が連結部材２５３に押さえられる。よって、ヨロイ３００の摺動が、内外の両側から阻止されるので、本実施形態の眼鏡フレーム１００は、ヨロイ３００の係止部とリム２１０の係合部２５０との係合状態がより安定する構成となっている。
【００３２】
また、ヨロイ３００を係合部２５０に係合させたときに、ヨロイ３００の上面３１０と案内部材２５１とが、下面３２０と案内部材２５２とが、外側面３３０と連結部材２５３とが同一面を形成するように、各凹溝３１１、３２１、３３１の深さを案内部材２５１、２５２の高さ（上下方向）や、連結部材２５３の高さ（内外方向）と同じにするようにしてもよい。
【００３３】
更に、リム２１０、ヨロイ３００、テンプル４００は、図１及び図２に示す形状に限定されるものでなく、他の種類のものを用いることができる。例えば、本考案を構成するテンプルとして、図７（ａ）に示すように、図２に示すテンプル４００に比べて上下方向の厚みの薄いテンプル４０１や、図７（ｂ）に示すように側面に装飾が施されたテンプル４０２などを用いることができる。
【００３４】
また、係合部２５０及び係止部３０１の形状は、以上に説明した実施形態に限られるものでなく、リム２１０の内側から係止部３０１を係合部２５０に係脱自在に係合することができる限りにおいて、略コの字状に限定されるものでない。
【図面の簡単な説明】
【００３５】
【図１】本実施形態に係る眼鏡フレームの正面図である。
【図２】本実施形態に係る眼鏡フレームの側面図である。
【図３】図３（ａ）は、ヨロイが取り外された左側のリムの平面図であり、図３（ｂ）は、その正面図である。
【図４】図４（ａ）は、前記ヨロイ３００及びテンプル４００の正面図であり、図４（ｂ）は、その平面図である。
【図５】前記ヨロイ３００のＡ−Ａ断面図である。
【図６】図６（ａ）及び図６（ｂ）は、リムの係合部にヨロイの係止部を係止させる動作を示した図である。
【図７】眼鏡フレームに用いることができるテンプルの例を示すテンプルの側面図である。
【符号の説明】
【００３６】
１００  眼鏡フレーム
２００  前枠
２１０  リム
２２０  リム本体
２３１  開口
２３２、２３３  開口端部
２５０  係合部
２５１、２５２  案内部材
２５３  連結部材
３００  ヨロイ
３０１  係止部
３１１、３１２、３１３  凹溝
４００  テンプル
【図１】
0003116492.tif 000003
【図２】
0003116492.tif 000004
【図３】
0003116492.tif 000005
【図４】
0003116492.tif 000006
【図５】
0003116492.tif 000007
【図６】
0003116492.tif 000008
【図７】
0003116492.tif 000009